(57)【要約】【課題】感光性エレメントを熱現像する装置および方法の改良に関する。【解決手段】本熱現像方法は、感光性エレメントを十分な温度に加熱して、その組成物層の一部を液状化、軟化または溶融するステップ、非回転面により現像媒体を支持して、加熱された感光性エレメントに接触させるステップ、および、現像媒体と非回転面との相対移動を生じさせるステップを含んでいる。【選択図】図１
2006048053.tif 000002
【特許請求の範囲】
【請求項１】
外側面を有し、部分的に液状化可能な組成物の層を含む感光性エレメントからレリーフパターンを形成するための装置であって、
前記層の一部を部分的に液状化させるに十分な温度に前記外側面を加熱するための手段と、
現像媒体を支持して前記部分的に液状化した部分に隣接する前記外側面に接触させる手段と、
前記現像媒体と前記支持手段との相対移動を行わせる手段と、
を具え、前記支持手段が前記部分的に液状化した部分の反対側に非回転面を具えている装置。
【請求項２】
前記支持手段が非円筒状の支持部材を具えている請求項１の装置。
【請求項３】
前記支持手段は支持部材を具え、該支持部材の断面形状が楕円形状、弧形状、放物線状、円形状、半円形状、楔形状、三角形状、長方形状および多角形状を含む群から選択されている請求項１の装置。
【請求項４】
前記支持手段がさらに支持部材を具え、該支持部材がこれを加熱する手段を有している請求項１の装置。
【請求項５】
前記非回転面が平面および弧状面を含む群から選択されている請求項１の装置。
【請求項６】
前記非回転面が弧状であり、凸面および凹面を含む群から選択され、前記凹面が前記外側面の一部に適合している請求項５の装置。
【請求項７】
前記非回転面が４０ｍｍ未満の曲率半径を有している請求項１の装置。
【請求項８】
前記非回転面が８ｍｍないし１５ｍｍの曲率半径を有している請求項１の装置。
【請求項９】
前記非回転面が突出縁を具え、これを前記現像媒体が通過するようにした請求項１の装置。
【請求項１０】
前記支持手段は１以上の非回転面を具え、その各々が同等または異なる曲率半径を有している請求項１の装置。
【請求項１１】
前記支持手段は１以上の非回転面を有する支持部材を具え、さらに、当該１以上の非回転面の各々を前記外側面に隣接する位置に位置付けるよう前記支持部材を割り出すための手段を具えている請求項１の装置。
【請求項１２】
前記支持手段が支持部材を具え、該支持部材が半円形状の断面形状を有するとともに、前記非回転面に一致する円筒状面部分を有している請求項１の装置。
【請求項１３】
前記支持手段がさらに前記支持部材の強化手段を具えている請求項１２の装置。
【請求項１４】
前記円筒面部分が４０ｍｍ未満の曲率半径を有している請求項１２の装置。
【請求項１５】
前記支持手段が支持部材を具え、該支持部材が円形状の断面形状を有するとともに、前記非回転面に一致する円筒状面部分を有している請求項１の装置。
【請求項１６】
前記非回転面の反対側で前記支持手段を強化するための手段をさらに具えている請求項１の装置。
【請求項１７】
前記感光性エレメントを支持するための手段と、
前記現像媒体を前記外側面に提供するための手段と、
をさらに具えている請求項１の装置。
【請求項１８】
前記支持手段を移動させるための手段をさらに具えている請求項１の装置。
【請求項１９】
前記現像媒体を前記外側面から除去するための手段をさらに具えている請求項１の装置。
【請求項２０】
前記現像媒体に張力を付与するための手段をさらに具えている請求項１の装置。
【請求項２１】
前記組成物層の前記液状化した部分が少なくとも前記現像媒体に吸収されるようにするに十分な圧力をもって、前記感光性エレメントおよび前記現像媒体を押圧して接触させる手段をさらに具えている請求項１の装置。
【請求項２２】
前記感光性エレメントが光重合性印刷エレメントである請求項１の装置。
【請求項２３】
前記加熱手段が、
前記現像媒体が前記組成物層に接触する位置に隣接して前記組成物層の前記外側面を加熱する第１加熱手段であって、前記層の前記外側面に適合した加熱を行う第１加熱手段と、
前記現像媒体が前記層の前記外側面に接触しているときに、前記外側面を加熱可能な温度に前記現像媒体支持手段を加熱する第２加熱手段と、
前記感光性エレメントを支持するための手段を、前記外側面を加熱可能な温度に加熱する第３加熱手段と、
前記第１加熱手段および前記第２加熱手段の組合せと、
前記第１加熱手段および前記第３加熱手段の組合せと、
前記第２加熱手段および前記第３加熱手段の組合せと、
前記第１加熱手段、前記第２加熱手段および前記第３加熱手段の組合せと、
を含む群から選択され、
前記第１加熱手段、前記第２加熱手段および前記第３加熱手段が個別に、または前記組み合わせにおいて、前記組成物層の外側面を前記相の液状化が生じるに十分な温度に加熱可能である請求項１の装置。
【請求項２４】
外側面を有し、部分的に液状化可能な組成物の層を含む感光性エレメントからレリーフパターンを形成するための方法であって、
前記層の一部を部分的に液状化させるに十分な温度に前記外側面を加熱するステップと、
現像媒体を支持して前記部分的に液状化した部分に隣接する前記外側面に接触させるステップと、
を具え、前記支持ステップが前記部分的に液状化した部分の反対側で非回転面を接触させるステップと、前記現像媒体と前記非回転面との相対移動を行わせるステップとを有している方法。
【請求項２５】
前記支持ステップが非円筒状の支持部材を用いる請求項２４の方法。
【請求項２６】
前記支持ステップが支持部材を用い、該支持部材の断面形状が楕円形状、放物線状、弧形状、円形状、半円形状、楔形状、三角形状、長方形状および多角形状を含む群から選択されている請求項２４の方法。
【請求項２７】
前記非回転面が平面および弧状面を含む群から選択されている請求項２４の方法。
【請求項２８】
前記非回転面が弧状であり、凸面および凹面を含む群から選択され、前記凹面が前記外側面の一部に適合している請求項２７の方法。
【請求項２９】
前記非回転面が４０ｍｍ未満の曲率半径を有している請求項２４の方法。
【請求項３０】
前記非回転面が８ｍｍないし１５ｍｍの曲率半径を有している請求項２４の方法。
【請求項３１】
前記非回転面の突出縁を前記現像媒体が通過するようにするステップをさらに具えた請求項２４の方法。
【請求項３２】
前記支持ステップは、１以上の非回転面を有する支持部材によって前記現像媒体を支持するステップを具え、前記１以上の非回転面の各々が同等または異なる曲率半径を有している請求項２４の方法。
【請求項３３】
前記支持ステップは、１以上の非回転面を有する支持部材によって前記現像媒体を支持するステップを具え、さらに、当該１以上の非回転面の各々を前記外側面に隣接する位置に位置付けるよう前記支持部材を割り出すためのステップを具えている請求項２４の方法。
【請求項３４】
前記支持ステップは、前記非回転面に一致する円筒状面部分を有している半円筒状の支持部材によって前記現像媒体を支持するステップを具えている請求項２４の方法。
【請求項３５】
前記円筒面部分が４０ｍｍ未満の曲率半径を有している請求項３４の方法。
【請求項３６】
前記非回転面を強化するステップをさらに具えている請求項２４の方法。
【請求項３７】
前記感光性エレメントをベース部材上に支持するステップと、
前記現像媒体を前記外側面に提供するステップと、
をさらに具えている請求項２４の方法。
【請求項３８】
前記非回転面をもつ支持部材を移動させるステップをさらに具えている請求項２４の方法。
【請求項３９】
前記現像媒体を前記外側面から除去するステップをさらに具えている請求項２４の方法。
【請求項４０】
前記現像媒体に張力を付与するステップをさらに具えている請求項２４の方法。
【請求項４１】
前記組成物層の前記液状化した部分が少なくとも前記現像媒体に吸収されるようにするに十分な圧力をもって、前記感光性エレメントおよび前記現像媒体を押圧して接触させるステップをさらに具えている請求項２４の方法。
【請求項４２】
前記感光性エレメントが光重合性印刷エレメントである請求項２４の方法。
【請求項４３】
前記加熱ステップが、
前記現像媒体が前記組成物層に接触する位置に隣接して前記組成物層の前記外側面を加熱する第１加熱ステップであって、前記層の前記外側面に適合した加熱を行う第１加熱ステップと、
前記現像媒体が前記層の前記外側面に接触しているときに、前記外側面を加熱可能な温度に前記非回転面を加熱する第２加熱ステップと、
前記感光性エレメントのためのベース部材を、前記外側面を加熱可能な温度に加熱する第３加熱ステップと、
前記第１加熱ステップおよび前記第２加熱ステップの組合せと、
前記第１加熱ステップおよび前記第３加熱ステップの組合せと、
前記第２加熱ステップおよび前記第３加熱ステップの組合せと、
前記第１加熱ステップ、前記第２加熱ステップおよび前記第３加熱ステップの組合せと、
を含む群から選択され、
前記第１加熱ステップ、前記第２加熱ステップおよび前記第３加熱ステップが個別に、または前記組み合わせにおいて、前記組成物層の外側面を前記相の液状化が生じるに十分な温度に加熱可能である請求項２４の方法。
【請求項４４】
前記感光性エレメントを化学線に曝露するステップをさらに具えた請求項２４の方法。
【請求項４５】
前記曝露ステップが既存マスクを介した、光ツールを介した、またはレーザによる、像形成を行う請求項４４の方法。
【請求項４６】
請求項４４の方法によって作成されたフレキソ印刷フォーム。
【請求項４７】
前記非回転面が固定されている請求項１の装置。
【請求項４８】
前記非回転面が軸のまわりに１回転未満の回動を行う請求項１の装置。
【請求項４９】
前記非回転面が固定されている請求項２４の方法。
【請求項５０】
前記非回転面が軸のまわりに１回転未満の回動を行う請求項２４の方法。
【発明の詳細な説明】
【技術分野】
【０００１】
本発明は、感光性エレメントの熱現像用装置および方法に関し、特に非回転面によって現像媒体の支持を行うことで感光性エレメントとの接触を提供する装置および方法に関するものである。
【背景技術】
【０００２】
例えばボール紙、プラスチックフィルム、アルミフォイル等の包装材のように、柔軟で変形し易いものから比較的硬質のものまでを含む面の印刷に、フレキソ印刷版を用いることがよく知られている。フレキソ印刷版は、特許文献１および特許文献２に記載されたもののように、光重合性の組成物（photopolymerizable compositions）を含む感光性エレメントから作成される。光重合性組成物は概して、エラストマー系バインダー、少なくとも１つのモノマーおよび光開始剤（photoinitiator）を含んでいる。感光性エレメントは概して、支持体とカバーシートまたは多層のカバーエレメントとの間に介挿された光重合性層を有している。像を化学線に暴露することで、暴露領域において光重合性層の光重合が生じ、当該層の暴露領域の硬化および不溶化が生じる。従来、エレメントは例えば溶剤などの適切な溶液ないしは塩基性水溶液のウォッシュアウトにより処理され、光重合性層の非暴露領域を除去して印刷レリーフを残すことで、フレキソ印刷に用いることができるようにしている。しかしながら、溶液を用いてエレメントを処理する現像システムは、吸収した現像液を除去するための乾燥に長い期間（０．５時間〜２４時間）を要することから、時間のかかるものであった。
【０００３】
溶液による現像を行う代わりに、「乾式」の熱現像プロセスを用いて非暴露領域を除去するようになし、時間のかかる乾燥工程がなくなるようにしたものもある。熱現像プロセスでは、化学線（actinic radiation）に暴露された像（imagewise）を有する感光層が所定温度で吸収材に接触する。所定温度とは、非暴露部分の組成物が軟化ないしは溶融して、吸収材に流入するに十分な温度である。特許文献３（Burgらによる）、特許文献４（Cohenらによる）、特許文献５（Martens）、特許文献６（Martens）、特許文献７（Martens）および特許文献８（Petersonらによる）を参照されたい。感光層の暴露部分は、非暴露部分の軟化温度では硬いままであって、軟化ないしは溶融することはない。吸収材は軟化した非照射材を回収し、感光層から分離／除去する。感光層の加熱および接触サイクルは数回の繰り返しを要し得る。非照射領域から流動性を有する組成物を十分に除去して、印刷に適したレリーフ構造を形成するためである。かかるプロセスの後には、照射を受け、硬化した隆起レリーフ構造が残され、これが被照射像を表す。
【０００４】
フレキソ印刷エレメントの熱現像用の処理装置が知られている。特許文献８には、被照射印刷エレメントを取り扱うとともに、加熱および加圧を行って当該エレメントから非照射組成物を除去するために自動化されたプロセスおよび装置が記載されている。その図１５および図１６に示された熱現像装置の一実施形態は、吸収材に密に接触するとともに、ベース上にある可撓性シートの上面に接触する加熱プレートが含まれている。加熱プレートが所定部位に十分な時間存在することで、シートの重合物質の一部を液状化し、当該液状化した重合物質が吸収材に吸収されるようになっている。加熱プレートが除去され、可撓性シートおよび吸収材がともに進行する一方、ロールにより、形成されたフレキソ印刷シートから吸収材が分離される。
【０００５】
特許文献８には、被照射印刷エレメントを取り扱うとともに、繰り返しの加熱および加圧を行って当該エレメントから非照射組成物を除去するために自動化されたプロセスおよび装置の他の実施形態が記載されている。特許文献９にも、感光性エレメントの熱処理を行うための装置および方法が記載されている。これらの熱処理装置では、吸収材は連続シート状のウェブ（通常、不織のもの）であり、これが熱ロール上を通過する。熱ロールは感光性エレメントを搬送するドラムに向けて付勢され、感光性エレメントに対しウェブを押圧して、ニップを形成する。熱ロールからは、接触に応じ伝導によって吸収ウェブを介して感光性エレメントに熱が伝達される。これにより、組成物層（composition layer）は、その非照射部分が溶け、吸収ウェブに吸収されるに十分な温度に上昇する。ドラムおよび熱ロールが接触してともに回転するので、ウェブは感光性エレメントに対して押圧されて溶けた非照射組成物を吸収し、エレメントから分離される。
【０００６】
【特許文献１】米国特許第４，３２３，６３７号明細書
【特許文献２】米国特許第４，４２７，７５９号明細書
【特許文献３】米国特許第３，０６０，０２３号明細書
【特許文献４】米国特許第３，２６４，１０３号明細書
【特許文献５】米国特許第５，０１５，５５６号明細書
【特許文献６】米国特許第５，１７５，０７２号明細書
【特許文献７】米国特許第５，２１５，８５９号明細書
【特許文献８】米国特許第５，２７９，６９７号明細書
【特許文献９】国際公開第２００１／１８６０４号公報
【特許文献１０】国際公開第９８／１３７３０号公報
【特許文献１１】米国特許第６，７９７，４５４号明細書
【特許文献１２】米国特許第４，３２３，６３６号明細書
【特許文献１３】米国特許第４，７５３，８６５号明細書
【特許文献１４】米国特許第４，７２６，８７７号明細書
【特許文献１５】米国特許第４，４６０，６７５号明細書
【特許文献１６】米国特許第５，２６２，２７５号明細書
【特許文献１７】米国特許第５，７１９，００９号明細書
【特許文献１８】米国特許第５，６０７，８１４号明細書
【特許文献１９】米国特許第５，５０６，０８６号明細書
【特許文献２０】米国特許第５，７６６，８１９号明細書
【特許文献２１】米国特許第５，８４０，４６３号明細書
【特許文献２２】欧州特許出願公開第０７４１３３０号明細書
【特許文献２３】米国特許出願第６０／５９８，５５９号
【発明の開示】
【発明が解決しようとする課題】
【０００７】
回転する熱ローラが吸収材を感光性エレメントと接触させるようにした熱現像処理装置には、しばしば問題が生じる。既存の熱現像処理装置が、窪んだ領域から非硬化の感光性樹脂を常に適切に一掃ないし除去できるわけではない。レリーフの一様性を改善するためには、吸収材を搬送する熱ロールと感光性エレメントを搬送するドラムとのニップを増大させて、窪んだ領域内に吸収材を押し付けるようにすることができる。ニップ圧を増大させると、エレメントが圧迫されて、ドラムの軸長に沿ったエレメントのニップに対する接触域（すなわちフットプリント）が増大するとともに、エレメントに熱を伝えるための居留（すなわち存在）時間が増大する。しかしながら、エレメントを支持するベースの温度がガラス転移温度以上になるまで居留時間が増大すると、結果物である印刷フォームすなわちプレートの歪みが生じ得る。加えて、熱ロールはその長さ方向に沿って撓んだり弓なりになったりする傾向があり、この結果感光性エレメントには接触域の軸長に沿って一様でない圧力が加えられることになる。一様でない圧力が加わると、結果物である印刷フォームのレリーフ構造には不均一なレリーフ深さが生じてしまうことになる。
【０００８】
支持体および／または硬化した感光性重合層に歪みのある凸版印刷フォームは印刷性能を劣化させてしまう。多色印刷においては、１以上の凸版印刷フォームに歪みがあると、印刷画像のレジストレーションが劣化する。単色印刷であっても、凸版印刷フォームの歪みがあると、例えば直線が曲がって印刷されてしまうことにより、原画を不正確に複製した画像（忠実でない画像）が印刷され得る。歪みのある凸版印刷フォームはまた、印刷フォームのインク面と印刷される基体との断続的な接触に起因して、画像印刷を不完全なものにしてしまう。
【０００９】
加えて、既存の熱現像処理装置は、回転する可動熱ローラが機械的に複雑であることや、可動部分上のセンサにより温度を監視する必要があることに起因して高価となり、かつ製造も維持も難しいものとなっていた。
【課題を解決するための手段】
【００１０】
本発明は、外側面を有し、部分的に液状化可能な組成物層を含む感光性エレメントからレリーフパターンを形成するための装置を提供する。この装置は、前記層の一部を液状化するに十分な温度に前記外側面を加熱する手段と、当該液状化部分に隣接する前記外側面と接触するよう現像媒体を支持する手段と、前記現像媒体と前記支持手段との相対移動を生じさせる手段と、を具え、前記支持手段が前記液状化部分の反対側に非回転面を有している。
【００１１】
本発明の他の形態は、外側面を有し、部分的に液状化可能な組成物層を含む感光性エレメントからレリーフパターンを形成するための方法を提供する。この方法は、前記層の一部を液状化するに十分な温度に前記外側面を加熱する工程と、当該液状化部分に隣接する前記外側面と接触するよう現像媒体を支持する工程と、を具え、該支持工程が前記液状化部分に対して非回転面を接触させる工程と、前記現像媒体と前記非回転面との相対移動を生じさせる工程と、を有している。
【発明の効果】
【００１２】
本発明の装置および方法は、現像媒体を支持するのに非回転面を用いることで、結果物である凸版エレメントの歪みや波打ちが低減および／または解消されるようにしている。他の利点としては、非回転面が結果物であるエレメントのレリーフの一様性を提供することが挙げられる。また、本発明に係る熱現像処理装置の製造および維持は簡単なものとなり、コストも低減できる。
【発明を実施するための最良の形態】
【００１３】
以下、添付の図面を参照して本発明を詳細に説明する。以下の詳細な説明を通じ、すべての図において同様の要素に対しては同様の参照符号を付してある。
【００１４】
本発明は、好ましくはフレキソ印刷版を形成するための感光性エレメントの熱現像を行う装置およびプロセスである。本発明は、部分的に液状化可能な組成物の層を有する感光性エレメントを所定温度に加熱可能な装置に係る。所定温度とは、いかなる目的のためにも、相の少なくとも一部を溶融、軟化または液状化するに十分な温度である。特に本発明は、熱現像を通じて現像媒体を支持するための装置およびプロセスに関する。
【００１５】
熱現像によって感光性エレメントが現像温度に加熱されると、組成物層の非硬化部分の液状化すなわち溶融、軟化または流動が生じ、現像媒体との接触によって取り除かれる。ここで現像媒体は、現像材、吸収材、吸収ウェブ、および単にウェブとしても参照される。感光層の硬化部分は、非硬化部分よりも高い融点すなわち軟化または液状化温度を有しており、現像温度では溶融、軟化ないしは流動しない。フレキソ印刷版を形成するための感光エレメントの熱現像は特許文献５、特許文献６、特許文献７および特許文献１０に記載されている。感光性エレメントは基体と、この基体上に設けられた少なくとも１つの組成物層とを含んでいる。組成物層は部分的に液状化可能である。
【００１６】
「溶融」という用語は、温度上昇を受けて組成物の非照射部分が軟化し、粘度が減少して吸収材により吸収可能となる作用を記述するために用いられる。通常、組成物層の溶融可能な部分の材質は粘弾性材であり、固体および液体間に急な遷移をもたない。これにより、本プロセスは、吸収についてのあるスレッショルドを超える温度であれば、加熱された組成物層を現像媒体に吸収させるよう機能する。よって、組成物層の非照射部分は温度の上昇を受けて軟化または液状化する。しかしながら、本明細書を通じ、「溶融」、「軟化」および「液状化」という用語は、組成物が固体状態および液体状態間に急な遷移を持ち得るか持ち得ないかに関わりなく、加熱された組成物層の非照射部分の挙動を記述するために用いられる。本発明の目的に対し組成物層を「溶融」させるために、広い温度範囲が利用される。本プロセスの適切な操作を通じ、吸収を低温下で緩慢にし、高温にすることで迅速化することができる。
【００１７】
感光性エレメントの熱現像を行うのに適した装置が特許文献８に開示され、特許文献１１（Johnsonらによる）にも開示されている。すべての実施形態における感光性エレメントはプレート状である。熱現像用の丸いドラムに対して、あるいは熱現像用の平坦なベースに対して、プレートは押圧状態でクランプされる。しかしながら、当業者であれば、開示された装置を変形して、フレキソ印刷に適したいかなる形態の感光性エレメントの取り付けにも適応するようにできることを理解すべきである。感光性エレメントは、円筒すなわちスリーブの形態、プレート・オン・スリーブ（plate-on-sleeve）の形態、またはプレート・オン・キャリア（plate-on-carrier）の形態を含む。感光性エレメントは連続するシームレスの、または実質的にシームレスの光重合性組成物の層を、円筒形状の支持体に隣接して有するものでもよい。円筒形状の支持体はスリーブとして参照される。一般に、プレート・オン・スリーブは、平坦な支持体上に少なくとも１つの組成物層を含み、円筒形状の支持体上に取り付けられる感光性エレメントである。一般に、プレート・オン・キャリアは、平坦な支持体上に少なくとも１つの組成物層を含み、キャリアシートとして知られる可撓性シートに取り付けられる感光性エレメントである。キャリア上にはしばしば、様々な間隔で多数の感光性エレメントが取り付けられる。
【００１８】
本発明において、熱現像は加熱工程を含み、これは感光性エレメント１６の組成物層の外側表面１７を、層の一部の液状化が生じるに十分な温度Ｔｒに加熱する。熱現像プロセスは通常２以上のエレメント加熱工程と、現像媒体にエレメントを接触させる工程とのサイクルをもって行われる。これは非硬化ポリマーを除去して適切なレリーフ深さを得るためであり、組成物層の非硬化部分は加熱に応じて一部のみが液状化し得るからである。少なくとも１つの感光層（および、存在する場合には付加的な１以上の層）は、熱伝導、熱伝達、熱輻射その他の加熱方法により、非硬化部分の溶融に十分な効果があり、かつ層の硬化部分の歪みに影響を与えるほどには高くない温度に加熱される。組成物層の上に１以上の付加的な層があれば、これも軟化、溶融または流動して、同様に現像媒体により吸収される。現像媒体は、これによって非硬化部分を除去する吸い取り材（blotting material）として考察することもできる。感光性エレメントは、組成物層の非硬化部分の溶融ないし流動が効果的に行われるようにする目的で、表面温度が４０℃（華氏１０４度）以上、好ましくは約４０℃から約２３０℃（華氏１０４度〜４４６度）となるように加熱される。感光性エレメント１６の加熱工程と、エレメントの最外側表面を現像媒体に接触させる工程との熱処理ステップを同時に実行することが可能である。また、感光重合層の非硬化部分が現像媒体との接触時にはまだ軟化もしくは溶融状態にないのであれば、順次に行うことも可能である。
【００１９】
本発明は、現像媒体を支持するための手段を提供する。これは、現像媒体を感光性エレメントの外側面に接触させるための支持面を有する。支持手段はエレメントの外側面に隣接して、すなわち組成物の部分的に溶融する部分に隣接して配置される。支持手段は非回転面を含み、これは上記部分的に溶融する部分とは反対側で現像媒体を支持する。支持手段は支持部材を含み、これは現像媒体が存在または通過する非回転面を有している。上記部分的に溶融する部分とは反対の現像媒体の側面は、支持手段の非回転面の少なくとも一部と接触する。
【００２０】
支持手段の非回転面は、コストを低減し、装置の製造、操作および維持を簡単化することができる点で有利である。これは当該装置を用いる方法にとっても同様である。また、非回転面とすることで、現像媒体をニップでエレメントと接触させることができるようにする非常に多くの形状を選択することが可能となる。これは、非回転面の形状を適切に選択し、ニップでの圧力分布がシステムすなわちエレメント、装置および方法の必要に応じて調整できる点で有利である。従って、非回転面の形状によって、回転ロールを有する従来装置に用いられていたよりも、力の合計を低減することが可能となる。さらに、現像媒体をエレメントに接触させるための圧力とは独立して、ニップ（接触域）に伝える熱を管理するために非回転面の形状を選択することが可能である。よって、現像媒体を支持する非回転面による熱処理の結果得られた印刷フォームは、通常、レリーフ構造の窪んだ領域からの非硬化感光性樹脂の一掃すなわち除去が良好に行われたものとなり、レリーフ深さの一様性も改善される。一方、フォームの歪みをもたらす温度にまで加熱されるような不都合も生じない。
【００２１】
支持手段の面は回転しない。すなわち、現像媒体を支持する面は、現像媒体が感光性エレメントに接触する間、空間の固定点に対し運動の変化率をもたないか、実質的にもたない。現像媒体が感光性エレメントに接触する間、非回転面を固定するか、もしくは部分的な回動としていくらか動くようにすることができる。好ましくは、現像媒体を支持する非回転面は、２以上の回転中心または軸に関して回転しない。
【００２２】
本発明は、例えばローラのように、支持手段が円形断面を有するようにした実施形態を含む。しかし円形状の支持手段が回動または回転することはなく、非回転面は静止している。本発明は、支持手段が円形断面を有し、その支持手段の支持面がいくら回動するようにした実施形態を含む。この実施形態においては、非回転面がいくらかの範囲を動くが、加熱工程と現像媒体の感光性エレメントに対する接触工程とのサイクルを通じ、完全に回転することはない。本発明はまた、支持手段が例えば楔形や楕円形のような非円形断面を有し、非回転面に対し弧状または突出縁を提供するようにした実施形態を含む。ここで、非回転面を固定するか、もしくは部分的な回動としていくらかは動くようにすることができる。支持手段が長方形状の段名形状を有している実施形態では、感光性エレメントがドラムもしくはローラなどのような弧状の外面を有するベース部材に置かれるようにすることが好ましい。
【００２３】
支持手段が非回転面を感光性エレメント外側面に隣接する位置に移動させるようにしてもよい。移動手段が支持手段を移動させて、熱現像のために非回転面の位置付けを行うようにすること、および／または、支持手段を移動させて、現像の間に非回転面が１以上の向きに位置付けられるようにすることができる。例えば、移動手段が支持手段と係合して、エレメント外側面に向かう方向、および外側面から離れる方向に支持手段を移動させるようにすることもできる。移動手段が支持手段を移動させ、現像のために現像媒体をエレメントの外側面に接触させるようにするとともに、エレメントにレリーフ構造が形成されたときに接触位置から後退させるようにすることもできる。また、支持手段が移動して非回転面を現像媒体とともに位置付け、感光性エレメントの種々の厚みに対応できるようにすることもできる。加えて、外面に対する現像部材の接触の前または接触中に支持手段が移動するようにして非回転面を現像媒体に対して位置付けるようにすることで、種々の深さおよび種類のレリーフ領域に対し非硬化の感光性樹脂の一掃が行われるようにすることもできる。移動手段が支持手段を直線状に、または固定点のまわりに弧状に移動させるようになし、非回転面を所要の向きにすることで、組成物層の一部液状化した部分が適切に除去されるようにすることもできる。移動手段が支持手段を直線状または弧状に移動させて、感光性エレメントの外側面の移動方向に沿った、または移動方向に向かう１以上の位置に設定することも考えられる。移動手段はまた、支持部材すなわち非回転面がエレメント外側面内に進入する深さを制御するために用いられてもよい。
【００２４】
支持手段は、これを移動させるための手段としての１以上の作動部材、例えばエアシリンダなどに結合されていてもよい。一実施形態では、支持部材の各端が梁に取り付けられたアーム上に取り付けられ、１以上のエアシリンダの付勢力によって支持部材が移動するようになっている。支持部材を移動させるための他の実施形態を用いることは当業者によく知られていることである。移動手段として用いられる押圧シリンダは、支持部材を現像媒体とともにエレメントに押圧するための手段としても機能させることができる。あるいは、移動手段は押圧手段とは独立して機能するものでもよい。他の実施形態では、支持手段は装置のフレームまたはサブフレームに取り付けられる。
【００２５】
好ましくは、支持部材はベース部材すなわちドラム上の感光性エレメントの横方向の寸法と同等以上の長さを有し、ベース部材と軸方向に位置合わせされたものとする。また、支持部材はベース部材上の感光性エレメントの横方向の寸法より短い、おそらくはかなり短い長さのものであってもよい。感光性エレメントの横方向の寸法より短い長さの支持部材が、ベース部材の回転に伴って感光性エレメントの外側面を横切る方向に移動するものであってもよい。すなわち、支持部材が感光性エレメント上をスパイラルパターンで横切るようにするのである。支持手段の断面形状には、例えば、楕円形状、凸面および凹面を含む弧状、放物線状、円形状、半円形状、楔形状、三角形状、長方形状およびその他の多角形状などが含まれるが、これらに限られるものでもない。支持部材の形状は対称でも非対称でもよい。よって、支持部材は円筒状、半円筒状または非円筒の３次元形状とすることができる。支持部材は中実のものであってもよいし、支持部材を過熱するための熱源を収納するため、または加熱流体を循環させるための空洞（不図示）を含むものでもよい。支持部材はまた、その重量を最小限にするため、および／または、熱的な質量を最小限にして温度変化に迅速に応答するようにするため、または不要の位置での熱損失を最小限にするために、空洞部を有していてもよい。
【００２６】
支持部材を構成する材料には、金属薄板、鋳物、加工された金属、合金、高分子複合材、熱可塑性材料、熱硬化性材料およびそれらの組み合わせが含まれるが、これらに限られるものでもない。支持部材として選択される材料は熱処理に関連した温度で熱歪みに対して抵抗性があり、本プロセスの作動時の力が加わるときに変位（曲げや捩じり）に対して抵抗できるものであるべきである。
【００２７】
支持部材の非回転面は、付随的にコーティングされていてもよく、所要の目的に適するようその他の変形が施されたものでもよい。例えば、フッ化ポリマーなど、焦げつき防止性のある低摩擦材で非回転面をコーティングし、非回転面上の現像媒体の移送性が良好になるようにすることが可能である。他の例としては、約３０〜約９０のショアＡ硬さをもつエラストマーなどの弾性材料で非回転面をコーティングすることにより、支持面が感光性エレメントおよび形成されたレリーフ構造に適合する助けとなるようにすることもできる。非回転面は、金属製の支持部材にめっきや陽極酸化などの表面処理を施すこと、あるいは当業者に知られた方法で表面処理を施すことによって変形が施されたものでもよく、これにより磨かれた、もしくは荒らされた表面を得ることができる。
【００２８】
本発明はさらに、現像媒体と支持手段との相対移動を生じさせる手段を含んでいる。ほとんどの実施形態では、感光性エレメントと現像媒体とが同時もしくは実質的に同時の線形のスピードで移動して熱現像が行われるようになっている。現像媒体と感光性エレメントの外側面との間のそのレベルの相対移動を維持するためには、支持手段および現像媒体間の実質的な相対移動がなければならない。相対移動は、現像媒体を移動させること、または支持手段を非回転面とともに移動させること、または現像媒体および支持手段の双方を移動させることによって行うことができる。一実施形態では、現像媒体は連続ウェブであって、エレメント外側面に対し固定された位置にある支持手段の非回転面を熱現像のために通過する。他の実施形態では、現像媒体は連続ウェブであって、熱現像の間、移動手段によって１以上の向きに移動している支持手段の非回転面を通過する。
【００２９】
図１は本発明の第１の実施形態の模式的側面図であり、非回転面を含み、感光性エレメントと接触するよう現像媒体を支持するための手段を示している。支持手段は非円形の断面形状を有している。
【００３０】
図１に示す熱処理装置１０の一実施形態では、ドラム状のベース部材１８上にある感光性エレメント１６の外側面１７に隣接して支持手段１２が配置されている。支持手段１２は支持部材２０を含み、これは現像媒体２４を支持する非回転面２２を有している。支持部材２０の形状は、現像媒体２４が通過する突出縁２６を形成するために十分に小さい曲率半径を非回転面２２が有しているものとなっている。支持部材２０は楕円形状であり、その狭まった端部が非回転面２２となって、エレメント１６と接触する現像媒体２４を支持している。この実施形態において、突出縁２６すなわち狭まった端部は、エレメント１６の幅（横方向）に沿ってレリーフ形成領域の１以上の凹部内に向いており、これによりエレメントからの非硬化感光性重合材の一掃が良好に行われるようになっている。曲率半径を十分に小さくすることで、エレメント１６および現像媒体２４間のニップにおける局所的圧力を増大させることができる。非回転面２２が突出縁２６を含んでいる実施形態は、ニップ接触部のフットプリント（すなわち接触域）を、従来技術の装置における大径の回転熱ロールによって形成されるニップ接触部のフットプリントよりかなり小さくできる。この実施形態に関連するようにニップ接触域を小さくすることで、通常、現像媒体をレリーフ形成領域に押しやるに十分な局所的単位接触圧を発生するのに、従来技術の装置に比較して小さな押圧力で足りるようになる。また、ニップ接触域を小さくすることで、感光性エレメント１６の圧縮持続期間（時間幅）を最小化することができ、支持部材２０の非回転面からエレメント１６への伝熱の制御の助けともなり、またこれによって過剰な熱に起因してエレメント内に歪みが生じるのを最小限にすることが可能となる。
【００３１】
非回転面によるニップ接触域を小さくすることにはまた、熱現像プロセスで発生する蒸気および／または凝縮の量を低減できるという利点もある。感光性組成物は、熱現像が生じるのに必要な温度までエレメントが加熱されるときに蒸発または揮発する１以上の成分を含み得る。蒸発または揮発する成分は、概して、モノマーなどの低分子量の成分である。蒸気は熱現像処理装置内で凝縮し、処理装置の異なる領域に無秩序に滴下して、処理装置内に散ることがある。ニップ接触域を小さくすることで、加熱面を現像媒体に接触させる時間を低減し、これによって蒸気および／または凝縮量を小さくすることができる。
【００３２】
楕円形や楔形などのように、支持部材２０が非回転面２２として用いられ得る１以上の突出縁２６を有している実施形態では、突出縁２６のそれぞれが同等または異なる曲率半径を有するようにすることが考えられる。与えられた支持部材２０に対して異なる曲率半径を適用することで処理装置の適応性を高め、感光性エレメントに形成される異なるレリーフ構造から未重合材を良好に一掃できるようになる。この場合、支持部材２０は、非回転面２０の適切な曲率半径部分の割り出しを行い、感光性エレメント１６の外側面１７に隣接して位置するようにする。これはエレメントの熱現像に先立って行われるものでもよいし、エレメントの加熱および接触サイクルの間に行うこともできる。感光性エレメント１６に接触している間は、支持部材２０が割り出しを行わないようにすることが好ましい。
【００３３】
図２は本発明の第２の実施形態の模式的側面図であり、非回転面を含み、感光性エレメントに対して現像媒体を支持するための手段を示している。支持手段は半円形の断面形状を有している。
【００３４】
図２に示す装置１０の他の実施形態では、支持部材２０は半円筒形状であり、円筒面部分３４が非回転面２２となっている。円筒状の非回転面２２は４０ｍｍ未満の曲率半径を有し、これは従来装置における熱ローラに関する曲率半径より小さい。この実施形態の曲率半径は、図１に示したものと同程度に小さいものとすることができる。図１の実施形態と同様、この実施形態でも、ニップ接触部のフットプリント（すなわち接触域）を、従来技術の装置における回転熱ロールによって形成されるニップ接触部のフットプリントより小さくしている。従来装置では、長手軸に沿ったロールの撓みを最小化する目的で、回転熱ロールは比較的大きい直径（すなわち大きな曲率半径）を有していた。（さもなければ、小径の回転ロールをバックアップするために、複雑な撓み抑制構造が必要となる。ロールが半径方向に撓むことは、ニップに一様でない圧力が生じるので望ましくない。）また、この実施形態に関連するようにニップ接触域を小さくすることで、現像媒体２４をエレメント１６のレリーフ形成領域に押しやるのに、従来技術の装置に比較して小さな押圧力で足りるようになる。
【００３５】
支持部材２０は強化手段（means for buttressing）３５に隣接している。この手段は、特に支持部材２０が押圧されて感光エレメント１６に接触するときに、支持部材２０の強化すなわち補強を行う。強化手段３５は強化部材３６を含んでいる。強化手段３５は付随的にバックアップ用の強化構造を含んでいてもよく、これらのいずれかを比較的重厚（massive）に作成して、支持部材２０に生じ得る変形を最小化または除去することができる。適切なバックアップ用強化構造を選択して所要の機能性を提供することは、当業者にはよく知られていることである。強化部材３６を装置のサブフレームに取り付けてもよく、支持部材２０を移動させる手段に適合するようにして、支持部材とともに強化部材が移動するようにすることもできる。図２に示すように、支持部材２０は強化部材３６に取り付けられている。あるいは、支持部材２０が強化部材３６と一体であってもよい。強化手段３５と結合する非回転面２２が存在することで、支持部材２０の撓みに起因した圧力の軸方向の非一様性を排除または最小化することができるので、回転ロールが有し得るものよりも、曲率半径を小さくすることが可能となる。
【００３６】
支持部材２０が強化部材３６に取り付けられる実施形態においては、支持部材の非回転面２２または支持部材２０自身が強化部材３６から離脱できるようにすることも考えられる。当業者によく知られた手段により、非回転面２２または支持部材２０を強化部材３６に結合可能とし、メンテナンスのために、あるいは、異なるニップ接触フットプリントやレリーフ形成構造を要する様々な処理条件に適合できるようにするために、非回転面２２を容易に置換できるようにすることが可能である。
【００３７】
非回転面２２が曲率半径を持つ実施形態では、その曲率半径は４０ｍｍ未満、好ましくは３５ｍｍ未満であり、８〜１５ｍｍとすることが最も好ましい。
【００３８】
図３は本発明の第３の実施形態の模式的側面図であり、現像媒体を支持するための手段に対する非回転面と、感光性エレメントから現像媒体を除去するための手段とを示している。
【００３９】
図３に示す装置１０の実施形態は図２に示したものと同様であるが、現像媒体２４を感光性エレメント１６から除去するための手段４０が強化手段３５に取り付けられている点が異なっている。除去手段４０は剥離面すなわちエッジ４２をなしている。このエッジで現像媒体２４が向きを変え、感光性エレメント１６と接触しながら移動する第１方向４４ａから、感光性エレメント１６から離れ、最終的に不図示のテークアップ位置に復帰するようにするための第２方向４４ｂに向かうようになっている。図示の実施形態では、除去手段４０はブレード状の部材４５である。この実施形態および、現像媒体２４を感光性エレメント１６から除去するための他の手段４０については、同じく特許出願中の明細書に記載されている（本出願人による特許文献２３）。
【００４０】
熱現像媒体２４を支持する手段１２はニップ３０において媒体２４と感光性エレメント１６の外側面１７との接触を提供する。この実施形態では、熱現像媒体２４は、ニップ３０を越えて除去手段４０に達するまで、感光性エレメント１６の外側面１７と接触したままとなる。熱現像媒体２４および感光性エレメント１６は、ニップ３０の後でも除去手段４０に達するまでのいくらかの距離だけ接触可能となっている。熱現像媒体２４が感光性エレメント１６から離れるポイントをニップ３０の近傍に持つことは、溶融したポリマーが熱現像媒体２４と接触している間に冷えてしまうことによる影響を最小限にできるので望ましいことである。溶融したポリマーが熱現像媒体２４と接触している間に冷えてしまうと、熱現像媒体をエレメントから分離するのが困難となり、甚だしい場合には媒体が裂けてしまうこともあり得る。しかしながら、除去手段４０をニップ３０の近傍に配置することは、支持手段１２の構造、および／またはニップ３０の後のスペースに適合し得る支持手段４０の構造と、曲げおよび捩りに抵抗し得る材料とによって制限される。一実施形態では、ニップ３０の出口から熱現像媒体４０をエレメント１６より剥離する除去手段４０までの距離が、概ね０．５インチ（１．２７ｃｍ）より大となっている。他の実施形態では、ニップ３０の出口から熱現像媒体４０をエレメント１６より剥離する除去手段４０までの距離を２〜４インチ（５．１〜１０．２ｃｍ）とし、好ましくは約３インチ（７．６ｃｍ）としている。除去手段４０は支持手段１２に隣接して配置され、感光性エレメント１６の外側面１７に隣接する。除去手段４０を支持手段１２の部分とし、そこから離れて配置されるようにしてもよいし、あるいは支持手段１２とは別体のものであってもよい。除去手段４０は、エレメント１６の横寸法（すなわち幅）の全体、または実質的に全体に沿って、熱現像媒体２４をエレメント１６から剥離すなわち除去する。
【００４１】
除去手段４０によって、感光性エレメント１６の外側面１７に隣接し、現像媒体２４がエレメントから分離する位置が確定される。除去手段４０は、ウェブの分離時にベース部材（ドラム）１８の外面に感光性エレメント１６が保持されるようにするとともに、従来の熱処理装置における感光性エレメントによって被っていた浮き上がりや弛みを解消、もしくは少なくとも低減するのに有用である。そのように分離するウェブにより感光性エレメント１６に張りが与えられるとともに、さらなる加熱が最小化され、もしくは実質的に解消される。
【００４２】
剥離面すなわちエッジ４２を含み、そのエッジで現像媒体２４が向きを変え、感光性エレメント１６と接触しながら移動する第１方向４４ａから、感光性エレメント１６より離れて最終的にテークアップ位置に復帰するための第２方向４４ｂに向かうことができるようにする形状であれば、除去手段４０はいかなる形状であってもよい。除去手段４０の形状の例としては、ブレード、ローラ、１以上の支持ローラにより支えられたローラ、楔、およびそれらの組み合わせなどが挙げられる。しかしこれらに限られるものでもない。除去手段４０は使用に適切なものであればいかなる材料から形成されていてもよい。これには金属薄板、鋳物、加工された金属、合金、高分子複合材、熱可塑性材料、熱硬化性材料およびそれらの組み合わせが含まれるが、これらに限られるものでもない。支持部材として選択される材料は熱処理に関連した温度で熱歪みに対して抵抗性があり、本プロセスにおいてウェブの作動時の張力が加わるときに変位（曲げや捩じり）に対して抵抗できるものであるべきである。
【００４３】
除去手段４０は、所要の機能を実現するために、フレーム、サブフレームまたは装置内の他の部材に取り付け可能である。図３の実施形態では、除去手段４０のブレード状部材４５が強化部材３６に取り付けられている。あるいは、処理装置１０のフレームの各端部に固定されるブラケットに除去手段４０を取り付けることもできる。一実施形態では、除去手段４０は、感光性エレメント１６を支持するベース部材１８の外面に対して固定された位置に保持される。他の実施形態では、除去手段４０は、感光性エレメント１６の外側面１７に対して固定された位置に保持される。これまで述べた実施形態のいずれもが、１つの厚み、もしくは厚みの範囲が狭い感光性エレメントの現像を行う熱処理装置に特に有用なものである。他の実施形態では、除去手段４０（またはブラケット）を適切に取り付けて、現像媒体２４が感光性エレメント１６から剥離されるときに、除去手段４０が回動ポイントのまわりに回動できるようにする。この実施形態では、熱処理装置１０で現像され得る異なる厚みの感光性エレメント１６に対して、除去手段４０の自動調整を行うことが可能となる。
【００４４】
図４は、本発明の第４の実施形態の模式的側面図であり、非回転面を含み、現像媒体を支持するための手段と、該支持手段に一体化され、感光性エレメントから現像媒体を除去するための手段とを示している。
【００４５】
図４に示す装置１０の実施形態において、支持部材２０の断面形状は略長方形状であり、現像媒体２４を支持する平坦な実質的平面部４８を非回転面２２として有している。支持部材２０は強化部材３６に取り付けられているが、これに一体のものであってもよい。長方形状の支持部材２０の非回転面２２を凹面として、感光性エレメント１６がベース部材１８上に位置するときに、その外側面の部分に適合もしくは実質的に適合するようにすることも考えられる。図１および図２の実施形態では曲率半径を小とすることによる利点を説明した。しかし本実施形態の非回転面２２は、図１および図２に示したものよりも大きい接触ニップ域を提供している。これは、非回転面２２からの伝熱量を増大させ、非回転面２２の加熱温度をより低くできるものである。
【００４６】
本実施形態において、エレメント１６から現像媒体２４を除去するための手段４０は、現像媒体２４を支持するための手段１２に包含されているが、そこからは離れている。すなわち、支持手段１２および除去手段４０は単一（一体）構造であり、支持手段１２および除去手段４０を別体の構造とした図３の実施形態とは異なっている。除去手段４０は支持部材２０の面を延在させる部材４９であり、剥離面すなわちエッジ４２を形成している。そしてそのエッジで現像媒体２４が向きを変え、感光性エレメント１６と接触しながら移動する第１方向４４ａから、感光性エレメント１６より離れることができるようになっている。支持手段１２および除去手段４０の機能を分離している単一構造は、各手段が支持部材２０に固定され、あるいは、図４に示すように一体構造とすることが可能である場合に、複合可能であるということを理解すべきである。非回転面２２および除去手段４０は支持部材２０に包含されており、ベース部材すなわちドラム１８に隣接して位置づけられる。ベース部材１８と支持手段１２との相対移動を提供するために、支持部材２０または強化部材３６を取り付けることが可能である。
【００４７】
一実施形態では、処理装置１０が非回転面２２を加熱するための手段（不図示）を含んでいる。非回転面２２が加熱されると、組成物層の外側面１７の温度を維持し、またはさらに上昇させて、温度Ｔ２にする。非回転面２２の加熱手段としてはいかなる方法によるものを用いてもよく、電気的コアヒータ（electrical core heater）、スチーム、オイル、温風およびその他の加熱源などが含まれるが、これらに限られるものでもない。加熱源は非回転面２２の温度を、現像媒体２４を介して組成物層の一部を溶融するに十分な温度にすることが可能なものであればよい。非回転面２２上に現像媒体２４を支持する支持部材２０は、エレメント１６の外側面１７との接触に応じてこれを加熱し、エレメントの温度を上昇させ、エレメント組成物層の非硬化部分の溶融、軟化または流動を生じさせて、現像媒体に受容されるようにする。加熱手段は、非回転面２２、支持部材２０、支持部材２０の空洞部、強化部材３６、および／または強化部材３６の空洞部などの、１以上の部位に組み込まれていてもよい。加熱手段は少なくとも非回転面を加熱するが、これは、層の一部を液状化するに十分な温度Ｔｒまでエレメント１６の外側面１７の温度を上昇させるのに必要な熱の全部またはいくらかを供給するためである。支持部材２０の全体、支持部材２０のいくつかの部分、および／または強化部材３６のいくつかの部分を加熱することも望ましい。また、支持部材２０が強化部材３６に取り付けられている実施形態においては、断熱材などを用いることで支持部材と強化部材とを熱的に絶縁することもできる。あるいは、支持部材２０を強化部材３６の数箇所または全体に対して熱的に接続することで、加熱手段の熱的な質量（thermal mass）を増大させることも可能である。
【００４８】
装置はさらに、感光性エレメント１６を支持するための手段５０を含んでいる。感光性エレメント１６の支持手段５０としては、例えばドラム、ロール複合体および平坦なプレートとすることができるが、これらに限られるものでもない。図示の実施形態では、感光性エレメント１６の支持手段５０は、ベース部材１８として作用するドラムであり、エレメントを支持するための外面を有している。ドラム１８は処理装置１０のフレームに回転可能に取り付けられ、時計方向に回転するものとして示されている。ベース１８の外面は１以上の層を含み、弾力性、粘着性、保護など、外面に付加的な機能を提供できるようになっている。ベース１８の外面に弾力性を持たせることで、ニップ域をより長くすることができ、ドラムと現像媒体２４の支持部材２０との間に僅かなミスアライメントがあってもこれを吸収できるようになる。
【００４９】
ベース１８にヒータを設け、感光性エレメント１６が周囲環境に関わりなく適切な開始温度に維持されるようにしてもよい。ヒータの電力容量がドラム外面を等しく一定の選択表面温度に維持するのに十分なものであれば、ベース部材１８を加熱するのにどのような手段が設けられてもよい。その温度は華氏で約５０〜１５０度（１０〜６５．５℃）であり、好ましくは華氏７０〜９５度（２１．１〜３５℃）である。ドラム１８の加熱手段は、組成物層の外側面１７を温度Ｔ３まで加熱することができる温度にまで、ドラムを加熱可能なものである。ヒータは、ワイヤを巻いたブランケットなど、電気的加熱ブランケットとすることができる。通常の動作環境が注意深く制御されて一定温度となるのであれば、ヒータをオフとし、あるいは装置からヒータを除外することもできる。特許文献９に開示されているように、冷却手段によりドラムを冷却することも可能である。冷却手段としては、感光性エレメントの表面およびドラムに気流を向けるブロワ、および／または、ドラムの表面直下で冷却流体を循環させることでエレメントの支持側面を冷却する手段によるものなどを用いることができる。
【００５０】
処理装置１０がベース部材１８に隣接する他の加熱手段（不図示）を含んでいてもよい。この加熱手段を、ベース部材１８上の感光性エレメント１６の外側面１７に向く指向性放射型ヒータ（focused radiant heater）とすることができる。ヒータは組成物層の外側面１７を加熱し、その温度をＴ１に上昇させる。一実施形態では、ヒータは組成物層の外側面１７の温度がＴｒとなるまで上昇させ、この温度は組成物層の非照射部分を溶融させ、層の一部が液状化するのに十分な温度である。他の実施形態では、組成物層の非照射部分を溶融させ、層の一部が液状化するのに十分な温度Ｔｒまで面１７の温度を上昇させるのに要する熱の一部を、放射型ヒータが提供するようにする。ヒータは、端部の支持部に取り付けられた１または複数の赤外線加熱管を含み、当該端部において赤外線加熱管の電気的接続を行うことができる。ヒータはまた、赤外線加熱管に隣接した反射部を含み、これが赤外線放射を集束させてエレメント１６の外側面１７に向けるべく作用するものとすることができる。
【００５１】
処理装置１０の全体にわたり温度センサを取り付けて、モニタリングを行うことができる。これにより、ベースエレメント１８、現像媒体２４の支持手段１２、および付加的な放射型ヒータの加熱要素を制御することができる。
【００５２】
第１加熱手段として作用する放射型ヒータ、現像媒体の支持手段を加熱する手段（第２加熱手段）、および第３加熱手段として作用するベース部材ヒータは、各別のものであっても、あるいはいずれかのものが組み合わされたものであっても、感光性エレメント１６の外側面１７を加熱して、組成物層の一部（すなわち非照射部分）の液状化が生じるに十分な温度Ｔｒにすることができるものである。第１加熱手段、第２加熱手段および第３加熱手段のそれぞれが、あるいはいずれかを組み合わせたものが、加熱ステーションを構成する。好適な加熱ステーションとしては、第１加熱手段および第２加熱手段を含むものがある。
【００５３】
装置１０は感光性エレメント１６の外側面１７に対して現像媒体２４を支持するための手段を含み、これが非回転面２２およびベース１８間でニップを形成する。一実施形態では、現像媒体２４は連続ウェブであり、これは供給ロール（不図示）から巻き出され、ニップ３０の非回転面２２および付加的な除去手段４０を通り、テークアップロール（不図示）に巻き取られる。ウェブが、供給ロールと支持手段１２との間で１以上の付加的なロールを通るようにしてもよいし、支持手段とテークアップロールとの間で１以上の付加的なロールを通るようにしてもよい。支持部材２０、供給ロール、テークアップロールおよび１以上のっ付加的なロールは、処理装置１０のフレームに取り付けることができる。または、サービスが必要なときにフレームから取り出すことができるよう、移動可能にしたキャリッジに回転可能に取り付けることもできる。１以上の付加的なロールは、処理装置１０を通じて、ウェブのガイドロール、アイドルロールおよび／または駆動ロールとすることができる。
【００５４】
現像媒体２４のウェブに対しては、処理装置１０を通すために、張力の制御、速度の制御あるいはそれらの組み合わせ制御を施すことができる。一実施形態においては、特に除去手段４０とともに用いて好適なものとして、処理装置１０は現像媒体２４に張力を付与するための手段（不図示）を含んでいる。張力付与手段はエレメント１６の外側面１６から離れた、除去手段４０の下流に配設される。除去手段４０からテークアップロールまでの経路で、ウェブは駆動ロールを通過する。駆動ロールはウェブのスリップを防ぐよう研磨された外面を有する。駆動ロールにはトルクモータが一定のトルクを提供し、少なくともエレメント１６からウェブの除去を行う間に、一定または実質的に一定の張力が現像媒体ウェブに適用されるようにする。ウェブは駆動ロールの上記研磨された外面に接触し、１以上のアイドラローラ上でループをなして、ニップの後のウェブに実質的に一様の張力が加えられるようにすることができる。ウェブをエレメント１６から除去するのに要する張力は、与えられた感光性エレメントの熱現像の間、サイクル内、あるいは一サイクルから次サイクルまでの間に変化し得る。故に、トルクモータ用のコントローラ（不図示）がトルクを調整することで、ウェブの張力の変化に対応できるようにする。除去手段４０の後でウェブの張力を一定または実質的に一定とするための他の実施形態は、当業者であれば想到し得るものである。ウェブ２４の好ましい張力の範囲は約０．５〜１．０ｌｂｓ／ｉｎｃｈ（０．８７５〜１．７５Ｎ／ｃｍ）である。他の実施形態として、処理装置１０が、これを通じてウェブを線形のスピードで引くためのモータを含むものとすることができる。この線形スピードとは、ドラム上のシート１６外面の線形スピードに同期したものである。
【００５５】
本発明はまた、ベース部材１８と支持部手段１２の非回転面２２との相対運動を行わせる手段を含むことができ、これによってエレメント１６と現像媒体２４とが互いに接触するようにすることができる。相対運動を行わせるための手段には、上述のように支持部材２０を移動させるための手段を含めることができる。相対運動を行わせるための手段はまた、例えば、感光性エレメント１６を支持させるための手段５０をフレームに支持されたブラケットに取り付け、ベース部材１８が現像媒体に向かって移動するようブラケットを作動させることによっても実現できる。相対運動させる手段が現像媒体２４の支持手段１２およびエレメント１６の支持手段５０を互いに向けて移動させることで、エレメント１６と支持部材２０との間には、エレメント１６と非回転面２２との間に現像媒体２４を挟んだ状態でニップ３０が形成される。ニップ３０は非回転面２２がベース部材１８に対して係合する位置にあるところに形成される。現像媒体２４を支持する非回転面２２は、押圧接触状態でエレメント１６に係合する。かかる相対運動を行わせる手段を具えることは、特許文献８および特許文献１１に記載されている。
【００５６】
処理を通じて、エレメント１６の幅を横切る方向のニップ３０に一様または実質的に一様の圧力を加えることは望ましいことである。この一様な圧力は、ニップ３０を横切る像が一様であることを前提とする。当業者であれば、ニップを通過する像によって加わる圧力が局所的に変化し得ることがわかるであろう。圧力が加わることで吸収体ウェブ２が感光性エレメント１６と密に接触する。約０．７０ｋｇ／ｃｍ2〜約２４ｋｇ／ｃｍ2の圧力、好ましくは約２ｋｇ／ｃｍ2〜約１２ｋｇ／ｃｍ2の圧力が適当であって、そのようにすれば、複合感光性エレメントを歪ませることなく、エレメント表面から吸収体ウェブへの吸収性を増進することができる。
【００５７】
感光性エレメント１６の熱現像を行うためのプロセスの動作は、ドラム１８上にエレメントを配置することで始まる。ドラムヒータまたは放射型ヒータを用いてドラム１８を予熱することができる。現像媒体２４の支持手段１２のためのヒータ（不図示）は、支持部材２０の非回転面２２を予熱する。ドラム１８が回転を始め、これとともにエレメント１６が搬送される。エレメント１６が到達する前に放射型ヒータが赤外線管を予熱しておいてから、エレメント１６上の組成物層の溶融を行わせる所要温度を実現する設定動作に切り替わるようにしてもよい。非回転面２２によって支持されるウェブ状現像媒体２４がドラムと接触し得る位置にエレメント１６の先端が達すると、支持手段１２が移動して、ウェブ２４をエレメント１６に向けて動かす。現像媒体２４と接触している間、感光性エレメント１６の組成物層は４０℃〜２３０℃（華氏１０４度〜３９２度）に加熱される。現像媒体２４は加熱された感光性エレメント１６の組成物層の外側面１７と接触し、組成物層の非照射部分からエラストマー系ポリマー（elastomeric polymer）の液状化部分を吸収する。これにより、部分的に除去が行われてレリーフパターンすなわちレリーフ面が形成されたフレキソ印刷フォームが形成される。非硬化領域において溶融が生じた組成物層と現像媒体２４との１以上の部位での密接を維持することで、感光性樹脂の非硬化感光剤すなわち部分的に液状化した部分の現像媒体への移動が生じる。現像媒体２４と光重合層との密接は、それらを互いに押圧することによって維持される。ニップ３０の領域を通った後、現像媒体２４を直ちに離脱させてもよい。付随的に、加熱状態としたまま、ウェブがエレメント１６に接触していた位置からはなれた部位で、現像媒体２４が剥離エッジ４２を通るようになし、ウェブがエレメントとともに移動する方向４４ａから、実質的に反対の方向４４ｂへと方向変換するようにすることができる。これにより、エレメント１６の外側面１７から現像媒体２４を除去して、リリーフ構造を現出させることができる。エレメント１６の後端がニップ３０を通過すると、放射型ヒータを冷却またはオフとし、支持部材２０をニップ３０から後退させ、ウェブを停止させることができる。他のエレメントの加熱サイクルを開始するべく、エレメント１６の先端に対応した位置に支持部材２０を戻すことができる。これはエレメントの大してウェブを接触および離脱させることができる位置である。光重合層を加熱するステップ、溶融した層（の部分）を現像媒体に接触させるステップ、および現像媒体を除去するステップのサイクルを必要なだけ繰り返すことで、非硬化材を組成物層から適切に除去し、所望のレリーフ深さを達成することも可能である。しかしながら、好適なシステム性能を得るためにはサイクルの数を最小限にすることが望ましく、通常これは、光重合エレメントに５〜１５回の熱処理を施すものである。
【００５８】
本発明の装置および方法は、現像媒体を支持するのに非回転面を用いることで、結果物である凸版エレメントの歪みや波打ちが低減および／または解消されるようにしている。他の利点としては、非回転面が結果物であるエレメントのレリーフの一様性を提供することが挙げられる。また、本発明に係る熱現像処理装置の製造および維持は簡単なものとなり、コストも低減できる。
【００５９】
感光性エレメント
本発明は、熱処理されるエレメントの種類には限定されない。一実施形態では、感光性エレメント１６は可撓性の基体と、その上に取り付けられた組成物層とを含んでいる。組成物層は基体上の少なくとも１つの層であり、部分的に液状化可能なものである。好ましくは、感光性エレメント１６は、フレキソ印刷フォームとして用いて好適なエラストマー系（elastomeric）印刷エレメントである。基体上の少なくとも１層は好ましくは感光層（photosensitive layer）であり、最も好ましくはエラストマー系組成物の光重合性層（photopolymerizable layer）であって、感光層は化学線（actinic radiation）によって選択的な硬化が可能なものである。ここで用いられている「光重合性」という用語は、光重合性、光架橋性（photocrosslinkable）またはその双方であるシステムを包含する。組成物層が可撓性基体上に２以上の感光層を具える場合には、各感光層の組成を同じものとしてもよいし、他の感光層のいずれとも異なるものとしてもよい。
【００６０】
感光性組成物の層は、熱処理時に部分的に液状化可能なものである。すなわち、熱現像を通じて、妥当な処理または現像の温度で軟化または溶融すべきものである。組成物層の少なくとも１つの外側面は、層の一部の液状化、軟化または溶融が生じるに十分な温度Ｔｒに加熱される。
【００６１】
感光層は少なくとも１つのモノマーおよび光開始剤（photoinitiator）を含み、付随的にバインダーを含む。少なくとも１つのモノマーは、少なくとも１つの末端エチレン基（terminal ethylenic group）をもつ付加重合可能なエチレン性不飽和化合物である。感光層において使用可能なモノマーは技術分野においてよく知られており、一官能性のアクリレートおよびメタクリレート、多官能性のアクリレートおよびメタクリレート、および ポリアクリロール・オリゴマー類などがある。さらなる例としては、特許文献１２、特許文献１３および特許文献１４に見られるものがある。モノマーの混合物が用いられてもよい。
【００６２】
光開始剤は化学線に曝露されたときに遊離基を発生する成分である。公知のクラスの光開始剤のいずれを用いることができ、特に遊離基光開始剤を用いることができる。あるいは、光開始剤は複数の成分の混合物であってもよく、その成分の１つが、照射により活性化する増感剤（sensitizer）によってそれが行われたときに遊離基を提供する。
【００６３】
付加可能なバインダーは予め形成されたポリマーであり、曝露に先立ってモノマーおよび光開始剤のマトリックスとして働くとともに、曝露の前後における光重合の物理的性質に対して寄与するものである。一実施形態では、付加的なバインダーはエラストマー系である。エラストマー系のバインダーの例としては、これに限定されるものではないがＡ−Ｂ−Ａ型のブロック共重合体が挙げられる。ここで、Ａは非エラストマー系ブロック、好ましくはビニル共重合体を表し、Ｂはエラストマー系ブロック、好ましくはポリブタジエンあるいはポリイソプレンを表す。使用できる他の好適な感光性エラストマーには、特許文献５および特許文献６に記載されたようなポリウレタンエラストマーが含まれる。モノマーまたは複数モノマーの混合物は、清澄な曇りのない感光層が生成される範囲で、バインダーと適合性のある（compatible）ものでなければならない。
【００６４】
感光層に対する付加的な添加物としては、色材、処理補助剤（processing aids）、酸化防止剤およびオゾン劣化防止剤などがある。処理補助剤は、エラストマー系ブロック共重合体と適合する低分子量のポリマーなどであってもよい。オゾン劣化防止剤には炭化水素ワックス、norbornenes、植物油が含まれる。好適な酸化防止剤としては、アルキル化フェノール（alkylated phenols）、アルキル化ビスフェノール（alkylated bisphenols）、重合トリメチルヒドロキノン（polymerized trimethyldihydroquinone）およびジラウリル・チオプロピオン酸塩（dilauryl thiopropinoate）が挙げられる。
【００６５】
感光性エレメントは、基体に対向する感光層の側に１以上の付加層を含むことができる。付加層の例としては、リリース層、キャッピング層、エラストマー層、レーザ光感受性層（laser radiation-sensitive layer）、化学線不透過層（actinic radiation opaque layer）、バリア層およびそれらの組み合わせが挙げられるが、これらに限られるものでもない。１以上の付加層は、好ましくは、用いられる感光性エレメントにとって受容可能な現像温度の範囲で現像媒体と接触することにより、全部または一部が除去可能なものである。１以上の付加的な他の層によって、感光性組成物層が全体的または部分的に覆われるようにすることもできる。感光性組成物層を部分的にのみ覆う付加層の例としては、画像形成型の方式（imagewise application）、例えばインクジェット方式により形成された、化学線ブロック材またはインクでなるマスキング層が挙げられる。
【００６６】
リリース層は組成物層の表面を保護するとともに、感光性エレメントの上記画像露出部分について用いられるマスクを容易に除去することができるようにするものである。リリース層として好適な材料は技術分野においてよく知られている。キャッピング層について好適な組成物およびエレメント上にこの層を形成するための方法は、特許文献２および特許文献１５（Gruetzmacherらによる）に記載された多層カバーエレメントにおいてエラストマー系組成物として開示されている。エラストマー系のキャッピング層は感光層と同等であり、画像露出後には、用いられる感光性エレメントにとって受容可能な現像温度の範囲で吸収材と接触することにより、エラストマー系キャッピング層の少なくとも一部が除去される。
【００６７】
一実施形態では、レーザ光感受性層は赤外線のレーザ放射に対して感受性があり、よって赤外線感受性層としても認識され得る。レーザ光感受性層は感光層上にあるものでもよいし、感光層上にバリア層がある場合にはその上に配置されるものでもよい。また、感光性エレメントともに組立体（assemblage）をなす一時的支持体（temporary support）上に配置されるものでもよい。赤外線感受性層および化学線不透過層は技術分野においてよく知られている。赤外線感受性層は、赤外線レーザ照射に曝されることによって、可撓性基体と対向する側にある感光層からアブレート（すなわち気化または除去）可能である。あるいは、感光層が赤外線感受性層を支持する支持体とともに組立体をなしている場合には、赤外線感受性層は、赤外線レーザ照射に曝されることによって、一時的支持体から感光層の外側面（可撓性基体とは反対側の側）に移送可能である。赤外線感受性層を単独で用いてもよいし、他の層、例えばイジェクション層や加熱層などとともに用いてもよい。
【００６８】
赤外線感受性層は赤外線吸収材、放射線不透過材および付随的なバインダーを具える。黒い無機顔料、例えばカーボンブラックやグラファイトなどが、赤外線吸収材および放射線不透過材として一般に機能する。赤外線感受性層の厚みは、化学線に対する感受性および不透過性の双方を最適化する範囲とすべきである（例えば２．５以上の光学濃度をもつものとする）。かかる赤外線感受性の光除去可能（photoablative）または光移送可能（phototransferable）は、ディジタルのプレートダイレクト（direct-to-plate）画像技術が適用可能であり、これは、レーザ照射に曝すことで赤外線感受性層が除去または移送され、感光性エレメント上に存在するマスクを形成する。好適な赤外線感受性組成物、エレメントおよびそれらの調製については、特許文献１６〜特許文献２２に開示されている。赤外線感受性層は、好ましくは、用いられる感光性エレメントにとって受容可能な現像温度の範囲で吸収体と接触することにより除去可能なものである。
【００６９】
本発明の感光性エレメントはさらに、その最上層の上部に設けられる一時的カバーシートを含むことができる。カバーシートの目的の１つは、保管および取り扱い時に感光性エレメントの最上層を保護することである。最終的な使用時に、像形成に先立ちカバーシートを除去してもよいし、除去しなくてもよい。しかし現像の前には除去される。カバーシートの好適な材料は技術分野においてよく知られている。
【００７０】
基体は引き裂き抵抗があるものが選択され、かつ、かなりの高融点、例えば基体上に形成される組成物層の液化温度より高い融点をもつものでなければならない。基体の材料は高分子のフィルム、フォーム、繊維、および、アルミニウムや鋼などの金属から選択可能である。しかしこれらに限られるものでもない。基体は殆どどのような高分子材であってもよく、すべての処理条件に対して反応せず、かつ安定しているフィルムを形成するものであればよい。好適なフィルム支持体としては、ポリオレフィン、ポリカーボネートおよびポリエステルなどの熱可塑性材料やセルロースフィルムなどが挙げられる。
【００７１】
感光性エレメントの基体は約０．０１ｍｍ〜約０．３８ｍｍの厚みを有する。放射線硬化型組成物層の厚みは約０．３５ｍｍ〜約７．６ｍｍであり、好ましい厚みは約０．５ｍｍ〜約３．９ｍｍ（２０〜１５５ｍｉｌ）である。
【００７２】
感光性エレメントは、熱現像を行うために、エレメントを化学線に暴露する像形成（imagewise）によって調製される。像形成用曝露の後、感光性エレメントは、放射線硬化型組成物層の曝露領域における硬化部分と、放射線硬化型組成物層の非曝露領域における非硬化部分とを含むものとなる。像形成用曝露は、像生成マスク（image-bearing mask）を通して感光性エレメントを曝露することにより行われる。像生成マスクは、印刷すべき内容を含む白黒の透過物または陰画、組成物層上のレーザ光感受性層に形成された既存マスク（in-situ mask）、またはその他の、技術分野において知られたものとすることができる。像形成用曝露は真空フレーム内で行われるものでもよいし、大気中の酸素が存在する状態で行われるものでもよい。曝露時には、マスクの透過領域により、重合または架橋が生じるようになる一方、化学線不透過領域は未架橋のままとなる。曝露は、曝露領域の支持体または背部層（フロア）に対する架橋が生じるのに十分な期間行われる。像形成用曝露時間は通常バックフラッシュ時間よりかなり長く、２、３分から１０分の範囲である。
【００７３】
特許文献１６〜特許文献２２に開示されたようなプレートダイレクトの画像形成に対しては、赤外線レーザ曝露用エンジンを用いて、レーザ光感受性層に存在する画像生成マスクが形成される。像形成用のレーザ曝露は、７５０〜２００００ｎｍの範囲、好ましくは７８０〜２０００ｎｍの範囲の光を出射する種々のタイプの赤外線レーザを用いて行うことができる。ダイオードレーザを用いることもできるが、１０６０ｎｍの光を出射するＮｄ：ＹＡＧレーザが好ましい。
【００７４】
化学線源は紫外線領域、可視光領域および赤外線領域のものを含む。特別な化学線源としての適合性は、感光性エレメントからフレキソ印刷版調製するのに用いられる少なくとも１つのモノマーおよび開始剤の感光性によって決定される。最も一般的なフレキソ印刷版の好ましい感光性は、室内灯に対して良好な安定性を呈することから、紫外線および深可視光領域のスペクトルである。照射に曝される組成物層の部分は、化学的に架橋し、硬化する。照射されない（曝露されない）組成物層の部分は硬化せず、硬化した被照射部分よりも低い融点または液化温度を有する。像形成用曝露された感光性エレメント１６は、レリーフパターンを形成するために吸収材を用いる熱現像の準備が整ったものとなっている。
【００７５】
像形成用曝露の前または後に全体的な背部曝露（所謂バックフラッシュ曝露）を行い、支持体に隣接する感光層を所定の厚みに重合させることができる。感光層の重合部分はフロアと称される。フロアの厚みは曝露時間や曝露源などによって変化する。この曝露は拡散または直接的に行われる。像形成用曝露に好適な照射源を用いることができる。曝露は一般的に１０秒〜３０分行われる。
【００７６】
マスクを介した全体的な紫外線曝露の後に、感光性印刷エレメントには上述した熱現像が施され、光重合層内の非重合領域が除去されて、レリーフ像が形成される。熱現像ステップは、光重合層の少なくとも化学線に曝されなかった領域、すなわち非曝露領域を除去する。エラストマー系キャッピング層を除き、光重合層上に存在し得る付加層が、光重合層の重合領域から除去または実質的に除去される。
【００７７】
現像媒体は、放射線硬化型組成物の非照射すなわち非硬化部分の融点、または軟化もしくは液化温度より高い融点を有し、かつ同じ作動温度で良好な引き裂き抵抗を有するものが選択される。好ましくは、選択材料は、加熱を通じて感光性エレメントを処理するプロセスに必要な温度に耐えるものである。吸収材は、不織材、用紙、繊維性の織材、開放発泡材（open-celled foam materials）、多孔質材など、空洞容積を多少ともその容量に含んでいるものから選択できる。吸収材はウェブ状のものでも、シート状のものでもよい。吸収材はまた、溶融するエラストマー系組成物に対する高い吸収性を有しているべきであり、吸収量は、吸収材の平方ｍｍあたりに吸収可能なエラストマーの重量（グラム）によって測定される。吸収材にファイバを接着し、現像工程を通じファイバがプレート内に付着しないようにすることが望ましい。ウェブ形態の不織材とすることは好ましいことである。
【００７８】
熱現像後には、後続のシーケンスにおいて、フレキソ印刷フォームを後曝露（post exposed）および／または化学的もしくは物理的に後処理し、フレキソ印刷フォームの表面の粘着性を除去（detackify）することができる。
【図面の簡単な説明】
【００７９】
【図１】本発明の第１の実施形態の模式的側面図であり、非回転面を含み、感光性エレメントと接触するよう現像媒体を支持するための手段を示している。
【図２】本発明の第２の実施形態の模式的側面図であり、非回転面を含み、感光性エレメントに対して現像媒体を支持するための手段を示している。
【図３】本発明の第３の実施形態の模式的側面図であり、現像媒体を支持するための手段に対する非回転面と、感光性エレメントから現像媒体を除去するための手段とを示している。
【図４】本発明の第４の実施形態の模式的側面図であり、非回転面を含み、現像媒体を支持するための手段と、該支持手段に一体化され、感光性エレメントから現像媒体を除去するための手段とを示している。
【符号の説明】
【００８０】
１０  熱現像処理装置
１２  支持手段
１６  感光性エレメント
１７  エレメント外側面
１８  ベース部材（ドラム）
２０  支持部材
２２  非回転面
２４  現像媒体
３０  ニップ
３５  強化手段
３６  強化部材
４０  除去手段
４２  剥離面（エッジ）
５０  エレメント支持手段
【図１】
2006048053.tif 000003
【図２】
2006048053.tif 000004
【図３】
2006048053.tif 000005
【図４】
2006048053.tif 000006
【外国語明細書】
2006048053000001.pdf